(57)【要約】【課題】この発明は、自動販売機の外扉を加工することなく、フロントカバーを外扉に対して取付けることができる自動販売機用フロントカバー及び取付け方法の提供を目的とする。【解決手段】フロントカバー１０１の上部フック１２１を外側へ撓ませながら外扉１００ａの上部外面に被せて、上面係止部１２１ｂを外扉１００ａの背面側上縁部に係止する。下部フック１３１を外側へ撓ませながら外扉１００ａの下部外面に被せて、下面係止部１３１ｂを外扉１００ａの背面側下縁部に係止する。左右の側部フック１４１を外側へ撓ませながら外扉１００ａの左右外面に被せて、側面係止部１４１ｂを外扉１００ａの背面側左右縁部にそれぞれ係止する。これにより、フロントカバー１０１を外扉１００ａの正面が覆われる状態に取付けることができ、外扉１００ａに対する取付ける作業が容易に行え、取付けや交換に要する時間が短くなり作業性が向上する。【選択図】図１
2012252668.tif 000002
【特許請求の範囲】
【請求項１】
自動販売機の販売機本体に対して開閉可能に連結された外扉の正面に取付けられる自動販売機用フロントカバーであって、
前記フロントカバーの背面側縁部を、前記外扉の背面側縁部に対する被せが許容される大きさ及び形状に形成し、
該フロントカバーの背面側縁部に、前記外扉の背面側縁部に対して係止される係止部を設けた
自動販売機用フロントカバー。
【請求項２】
前記係止部を、
前記外扉の背面側上下縁部に被せられる前記フロントカバーの背面側上下縁部に設けた
請求項１に記載の自動販売機用フロントカバー。
【請求項３】
前記係止部を、
前記外扉の背面側左右縁部に被せられる前記フロントカバーの背面側左右縁部に設けた
請求項１又は２に記載の自動販売機用フロントカバー。
【請求項４】
前記係止部を、
前記外扉の背面側上縁部に被せられる前記フロントカバーの背面側上縁部と、該外扉の背面側左右縁部に被せられる前記フロントカバーの背面側左右縁部とに設けた
請求項１に記載の自動販売機用フロントカバー。
【請求項５】
前記係止部を、
前記外扉の背面側上縁部に係止される上部係止部と、該外扉の背面側下縁部に係止される下部係止部とで構成し、
該上部係止部及び／又は下部係止部を、前記外扉の背面側上下縁部に対して係止される方向に対して上下動可能に設けた
請求項１〜４のいずれか一つに記載の自動販売機用フロントカバー。
【請求項６】
前記フロントカバーの背面側縁部と、該背面側縁部が被せられる前記外扉の背面側縁部との対向面に、該フロントカバーの背面側縁部を前記外扉の背面側縁部に被せた際に互いに係合される凹部と凸部とを設けた
請求項１〜５のいずれか一つに記載の自動販売機用フロントカバー。
【請求項７】
前記フロントカバーの背面側縁部に、該背面側縁部が被せられる前記外扉の背面側縁部と対向してカバー装着手段を取付けた
請求項１〜６のいずれか一つに記載の自動販売機用フロントカバー。
【請求項８】
自動販売機の販売機本体に対して開閉可能に連結された外扉の正面に取付けられる自動販売機用フロントカバー取付け方法であって、
前記フロントカバーの背面側縁部を前記外扉の背面側縁部に被せて、該フロントカバーの背面側縁部に設けた係止部を前記外扉の背面側縁部に係止し、該フロントカバーを外扉の正面が覆われる状態に取付ける
自動販売機用フロントカバー取付け方法。
【発明の詳細な説明】
【技術分野】
【０００１】
この発明は、例えば飲料、煙草、菓子等の商品を販売する自動販売機の外扉を装飾する際に用いられる自動販売機用フロントカバー及び取付け方法に関する。
【背景技術】
【０００２】
昨今、ジュースなどの飲料やタバコなどをはじめ様々な商品を手軽に購入できる自動販売機は、その利便性の高さから様々な場所に数多く設置されている。  
一方で自動販売機は、企業にとって外観に施した塗装や装飾で新商品などをアピールする広告としての役割もある。ところが、一旦、自動販売機が設置されると、外観に施した塗装などは、時間とともにデザイン的にも古くなり、さらに商品サイクルに合わせて変更することが容易ではなかった。  
そこで商品などの入替わりに伴い自由に変更することができ、インパクトのある装飾などができる着脱可能なフロントカバーが提案されている（特許文献１参照）。
【０００３】
特許文献１は、扉カバー取付け治具を、上係止部の扉天井側係止部を扉の天井側に係止し、下係止具の扉底側係止部を扉の底側に係止して、扉の幅方向であって販売機本体との連結側正面に縦向きに且つ扉の手前に突出して取付けた後、扉カバーを、扉カバー取付け治具の外側から扉の正面に被せるようにして扉カバー取付け治具に固定するものである。  
しかし、上述の扉カバーを扉正面に取付ける際、扉カバー取付け治具を扉の連結側正面に取付けてから、扉カバーを扉の正面に被せるようにして扉カバー取付け治具に固定しなければならず、扉カバーを扉に取付ける作業に手間及び時間が掛かる。
【先行技術文献】
【特許文献】
【０００４】
【特許文献１】特開２０１１−７０６７７号公報
【発明の概要】
【発明が解決しようとする課題】
【０００５】
この発明は、自動販売機の外扉を加工することなく、フロントカバーを外扉に対して取付けることができる自動販売機用フロントカバー及び取付け方法を提供することを目的とする。
【課題を解決するための手段】
【０００６】
この発明は、自動販売機の販売機本体に対して開閉可能に連結された外扉の正面に取付けられる自動販売機用フロントカバーであって、前記フロントカバーの背面側縁部を、前記外扉の背面側縁部に対する被せが許容される大きさ及び形状に形成し、該フロントカバーの背面側縁部に、前記外扉の背面側縁部に対して係止される係止部を設けた自動販売機用フロントカバーであることを特徴とする。
【０００７】
上述のフロントカバーを外扉の正面に取付ける際、フロントカバーの背面側縁部を外扉の背面側縁部に対して被せた状態に装着するとともに、フロントカバーの背面側縁部に設けた係止部を外扉の背面側縁部に係止して、フロントカバーを外扉の正面が覆われる状態に取付ける。
【０００８】
これにより、例えばネジやボルト、取付け金具等の取付け治具を用いる必要がないので、自動販売機の外扉を加工することなく、フロントカバーを外扉に対して取付けることができる。  
この結果、フロントカバーを、自動販売機の外扉に取付ける作業が現場にて容易に行え、取付けや交換などに要する時間が短くなり作業性が向上する。
【０００９】
この発明の態様として、前記係止部を、前記外扉の背面側上下縁部に被せられる前記フロントカバーの背面側上下縁部に設けることができる。  
上述のフロントカバーを外扉の正面に対して被せた状態に装着した際、フロントカバーの背面側上下縁部に設けた係止部を外扉の背面側上下縁部に係止して、フロントカバーを外扉の正面に取付けるので、係止部をフロントカバーの背面側左右縁部に設けなくても、フロントカバーを外扉の正面が覆われる状態に取付けることができる。
【００１０】
この結果、係止部を背面側左右縁部に設けたフロントカバーよりも構造及び構成を簡素化して、該フロントカバーの成形に要する工程数を少なくするので、成形が容易に行え、成形コストの低減を図ることができる。
【００１１】
また、この発明の態様として、前記係止部を、前記外扉の背面側左右縁部に被せられる前記フロントカバーの背面側左右縁部に設けることができる。  
上述のフロントカバーを外扉の正面に対して被せた状態に装着した際、前記フロントカバーの背面側上下縁部に設けた係止部を外扉の背面側上下縁部に係止するのに加え、フロントカバーの背面側左右縁部に設けた係止部を外扉の背面側左右縁部にも係止して、フロントカバーを外扉の正面に取付ける。  
この結果、係止部を外扉の背面側上下縁部のみに係止するよりも、フロントカバーを外扉に対してガタ付くことなく強固に固定することができる。
【００１２】
また、この発明の態様として、前記係止部を、前記外扉の背面側上縁部に被せられる前記フロントカバーの背面側上縁部と、該外扉の背面側左右縁部に被せられる前記フロントカバーの背面側左右縁部とに設けることができる。
【００１３】
上述のフロントカバーを外扉の正面に対して被せた状態に装着した際、フロントカバーの背面側上縁部に設けた係止部を外扉の背面側上縁部に係止し、フロントカバーの背面側左右縁部に設けた係止部を外扉の背面側左右縁部にも係止して、フロントカバーを外扉の正面に取付ける。
【００１４】
この結果、係止部を外扉の背面側上下縁部のみに係止するよりも、フロントカバーを外扉に対して強固に固定することができる。また、係止部を背面側下縁部に設けたフロントカバーよりも構造及び構成を簡素化して、該フロントカバーの成形に要する工程数を少なくすることができる。
【００１５】
また、この発明の態様として、前記係止部を、前記外扉の背面側上縁部に係止される上部係止部と、該外扉の背面側下縁部に係止される下部係止部とで構成し、該上部係止部及び／又は下部係止部を、前記外扉の背面側上下縁部に対して係止される方向に対して上下動可能に設けることができる。
【００１６】
上述のフロントカバーを外扉の正面に対して被せた状態に装着した際、上部係止部を外扉の背面側上縁部に係止し、下部係止部を外扉の背面側下縁部に係止して、フロントカバーを外扉の正面に取付ける。  
この結果、上部係止部と下部係止部とが外扉の背面側上縁部と背面側下縁部とを挟み込むように係止されるので、係止部を外扉の背面側上下縁部に係止するよりも、フロントカバーを強固に固定することができる。
【００１７】
また、この発明の態様として、前記フロントカバーの背面側縁部と、該背面側縁部が被せられる前記外扉の背面側縁部との対向面に、該フロントカバーの背面側縁部を前記外扉の背面側縁部に被せた際に互いに係合される凹部と凸部とを設けることができる。
【００１８】
上述のフロントカバーを外扉の正面に対して被せた状態に装着した際、フロントカバーと外扉との対向縁部に形成した凹部と凸部とを互いに係合するので、前記係止部の係止力に加えて、凹部及び凸部の係合力が相乗して得られる。
【００１９】
これにより、フロントカバーを、外扉の正面が覆われる状態の取付け位置に規制することができ、フロントカバーの取付け位置が変位したり、ガタ付いたりすることを防止できる。  
この結果、フロントカバーを、外扉の正面に取付けた状態を長期に亘り維持することができる。
【００２０】
また、この発明の態様として、前記フロントカバーの背面側縁部に、該背面側縁部が被せられる前記外扉の背面側縁部と対向してカバー装着手段を取付けることができる。  
上記カバー装着手段は、例えばマグネット、両面粘着テープ、面ファスナー、吸着子等で構成することができる。
【００２１】
すなわち、フロントカバーを外扉の正面に対して被せた状態に装着した際、フロントカバーと外扉との対向縁部をカバー装着手段により固定するので、前記係止部の係止力に加えて、カバー装着手段の固定力が相乗して得られる。  
この結果、フロントカバーを、外扉の正面が覆われる状態に取付けることができるとともに、フロントカバーの取付けや交換などの作業が簡単かつ容易に行える。
【００２２】
この発明は、自動販売機の販売機本体に対して開閉可能に連結された外扉の正面に取付けられる自動販売機用フロントカバー取付け方法であって、前記フロントカバーの背面側縁部を前記外扉の背面側縁部に被せて、該フロントカバーの背面側縁部に設けた係止部を前記外扉の背面側縁部に係止し、該フロントカバーを外扉の正面が覆われる状態に取付ける自動販売機用フロントカバー取付け方法であることを特徴とする。
【００２３】
上述のフロントカバーの背面側縁部に、外扉の背面側縁部に対して係止される係止部を設けているので、例えばネジやボルト、取付け金具等の取付け治具を用いることなく、フロントカバーを外扉に対して作業者一人でも容易に取付けることができる。また、フロントカバーの取付け及び交換にかかる時間を短縮することができる。
【発明の効果】
【００２４】
この発明によれば、自動販売機の外扉を加工することなく、フロントカバーを外扉に対して取付けることができるとともに、取付け作業に要する時間を短縮して、作業性の向上を図ることができる。
【図面の簡単な説明】
【００２５】
【図１】フロントカバーを自動販売機の外扉に取付ける取付け方法の斜視図。
【図２】図１のフロントカバーを外扉に取付けた状態の縦断側面図。
【図３】フロントカバーを外扉に取付けた他の取付け状態の縦断側面図。
【図４】フロントカバーをマグネットにて取付ける他の取付け方法の斜視図。
【図５】フロントカバーの上部及び側部を係止する他の取付け方法の斜視図。
【図６】フロントカバーの上部及び下部を係止する他の取付け方法の斜視図。
【図７】フロントカバーを上下係止具にて取付ける他の取付け方法の斜視図。
【図８】図７のフロントカバーを外扉に取付けた状態の縦断側面図。
【図９】幅狭型のフロントカバーを取付ける他の取付け方法の斜視図。
【発明を実施するための形態】
【００２６】
この発明の一実施形態を以下図面に基づいて詳述する。  
図１はフロントカバー１０１を自動販売機１００の外扉１００ａに取付ける取付け方法の斜視図、図２はフロントカバー１０１を外扉１００ａに取付けた状態の縦断側面図である。  
図１に示すように、フロントカバー１０１は、自動販売機１００における販売機本体１００ｂの正面側開口部に対して左右開閉自在に連結した外扉１００ａの正面に取付けられる。
【００２７】
自動販売機１００は、図１に示すように、例えば缶型、瓶型、ボトル型、箱型、袋型等の商品を販売するものであり、略箱形状で内部に飲料などの商品が収納されている正面側が開口された販売機本体１００ｂと、販売機本体１００ｂの正面と同じ大きさで正面側開口部を開閉する外扉１００ａとを備えている。また、外扉１００ａは、販売機本体１００ｂの幅方向一端側に対しヒンジ１０７を介し左右開閉自在に連結している。
【００２８】
外扉１００ａの上部正面には、自動販売機１００が取り扱う商品に酷似した商品見本と該商品見本に対応する商品選択ボタンとを備えた商品展示窓部１０８を設けている。また、外扉１００ａの下部正面には、商品展示窓部１０８の下方に紙幣や硬貨を投入する貨幣投入口１０９と、外扉１００ａの開閉を施錠する施錠部１１０と、その下に購入した商品を取り出す商品取出口１１１と、お釣りの硬貨を受取る硬貨返却口１１２とを設けている。
【００２９】
フロントカバー１０１は、アクリルなどの樹脂部材により略長方形に形成され、外扉１００ａの正面全体が覆われる大きさ及び形状に形成している。また、フロントカバー１０１の正面には、外扉１００ａの商品展示窓部１０８と、貨幣投入口１０９と、施錠部１１０と、商品取出口１１１と、硬貨返却口１１２に対応する位置に開口を設けている。
【００３０】
また、フロントカバー１０１の背面側上下縁部と背面側左右縁部は、外扉１００ａの背面側上下外面と背面側左右外面とに対して被せが許容される大きさ及び形状に形成している。また、フロントカバー１０１の背面側上縁部には、外扉１００ａの背面側上縁部に対して係止される上部フック１２１を形成している。
【００３１】
かつ、フロントカバー１０１の背面側下縁部には、外扉１００ａの背面側下縁部に対して係止される下部フック１３１を形成している。  
また、フロントカバー１０１の背面側左縁部及び背面側右縁部には、外扉１００ａの背面側左縁部と背面側右縁部とに対して係止される側部フック１４１をそれぞれ形成している。  
なお、フック１２１，１３１，１４１は、図２中の実線で示す係止状態と、同図中の仮想線で示す変形状態とに可撓可能に形成している。
【００３２】
上部フック１２１は、外扉１００ａの上部外面に対して略水平に載置され、該外扉１００ａの上部外面の厚みと同程度の奥行きに形成した上面押当て部１２１ａと、上面押当て部１２１ａの後端を略直角に下方へ屈曲して形成した上面係止部１２１ｂとで構成している。
【００３３】
下部フック１３１は、外扉１００ａの下部外面に対して略水平に押し当てられ、該外扉１００ａの下部外面の厚みと同程度の奥行きに形成した下面押当て部１３１ａと、上面押当て部１３１ａの後端を略直角に上方へ屈曲して形成した下面係止部１３１ｂとで構成している。
【００３４】
左右の側部フック１４１は、フロントカバー１０１の幅方向中央部を通る仮想縦線を基準として左右対称に形成しているので、一方の側部フック１４１の構造について説明する。
【００３５】
側部フック１４１は、外扉１００ａの側部外面に対して略垂直に押し当てられ、該外扉１００ａの側面の厚みと同程度の奥行きに形成した側面押当て部１４１ａと、側面押当て部１４１ａの後端を略直角にフロントカバー１０１の背面と向い合う方向へ屈曲して形成した側面係止部１４１ｂとで構成している。  
なお、フロントカバー１０１の背面には、商品展示窓部１０８に対応する開口の下部と、商品取出口１１１に対応する開口の上部に両面粘着テープ１１３を貼着している。
【００３６】
次に、図１を用いて、フロントカバー１０１を外扉１００ａに取付ける取付け方法について説明する。  
先ず、フロントカバー１０１を外扉１００ａの正面に取付ける際、フロントカバー１０１の背面に貼着した両面粘着テープ１１３（図１参照）の離型紙（図示せず）を剥離して、外扉１００ａの正面全体が覆われる状態に被せるとともに、その両面粘着テープ１１３の粘着力によりフロントカバー１０１を外扉１００ａの正面に仮固定する。
【００３７】
仮固定時において、図２に示すように、フロントカバー１０１の上部フック１２１を、図２中の仮想線で示す変形状態に外側へ撓ませながら外扉１００ａの上部外面に対して被せた状態に装着する。  
かつ、上部フック１２１を、図２中の実線で示す係止状態に復元させ、上面押当て部１２１ａを外扉１００ａの上部外面に押し当てるとともに、上面係止部１２１ｂを外扉１００ａの背面側上縁部に係止する。
【００３８】
また、下部フック１３１を、図２中の仮想線で示す変形状態に外側へ撓ませながら外扉１００ａの下部外面に対して被せた状態に装着する。  
かつ、下部フック１３１を、図２中の実線で示す係止状態に復元させ、下面押当て部１３１ａを外扉１００ａの下部外面に押し当てるとともに、下面係止部１３１ｂを外扉１００ａの背面側下縁部に係止する。
【００３９】
これと同様にして、左右の側部フック１４１を変形状態に外側へ撓ませながら外扉１００ａの左右外面に対して被せた状態に装着した際、側部フック１４１を係止状態に復元させ、側面押当て部１４１ａを外扉１００ａの左右外面にそれぞれ押し当てるとともに、側面係止部１４１ｂを外扉１００ａの背面側左右縁部にそれぞれ係止する。
【００４０】
すなわち、例えばネジやボルト、取付け金具等の取付け治具を用いる必要がないので、自動販売機１００の外扉１００ａに加工を施すことなく、フロントカバー１０１を外扉１００ａの正面が覆われる状態に取付けることができる。また、フロントカバー１０１を外扉１００ａに対して作業者一人でも容易に取付けることができる取付け方法を実現できる。
【００４１】
この結果、上部フック１２１と下部フック１３１とを外扉１００ａの背面側上下縁部のみに係止するよりも、フロントカバー１０１を外扉１００ａに対してガタ付くことなく強固に固定することができる。  
また、フロントカバー１０１を外扉１００ａに取付ける作業が簡単かつ容易に行え、取付けや交換などに要する作業時間を短縮して、作業性の向上を図ることができる。
【００４２】
次に、図３を用いて、フロントカバー１０１を自動販売機１００の外扉１００ａに取付ける他の取付け方法を説明する。図３はフロントカバー１０１を外扉１００ａに取付けた他の取付け状態の縦断側面図である。
【００４３】
フロントカバー１０１の上部フック１２１の上面押当て部１２１ａと、該上面押当て部１２１ａが押し当てられる外扉１００ａの上部外面との対向面に、互いに係合される凹部１１５と凸部１１６とを形成している。
【００４４】
また、下部フック１３１の下面押当て部１３１ａと、該下面押当て部１３１ａが押し当てられる外扉１００ａの下部外面との対向面にも、凹部１１５と凸部１１６とを形成している。  
なお、凹部１１５は、押当て部１２１ａ，１３１ａに形成している。また、凸部１１６は、外扉１００ａの上部外面及び下部外面に形成している。
【００４５】
つまり、フロントカバー１０１の上部フック１２１と下部フック１３１を、外扉１００ａの背面側上下縁部に係止した際、上部フック１２１の上面押当て部１２１ａに形成した凹部１１５と、外扉１００ａの上部外面に形成した凸部１１６とを互いに係合する。  
また、下部フック１３１の下面押当て部１３１ａに形成した凹部１１５と、外扉１００ａの下部外面に形成した凸部１１６とを互いに係合する。  
これにより、フロントカバー１０１を外扉１００ａの正面が覆われる状態の取付け位置に規制することができる。
【００４６】
フック１２１，１３１の係止力に加えて、凹部１１５及び凸部１１６の係合力が相乗して得られるので、フロントカバー１０１の取付け位置が左右方向や前後方向に変位したり、フロントカバー１０１がガタ付いたりすることがなく、フロントカバー１０１が外扉１００ａの外面から脱落することを防止できる。  
この結果、フロントカバー１０１を、外扉１００ａの正面に取付けた状態を長期に亘り維持することができる。
【００４７】
なお、凹部１１５を、側部フック１４１の側面押当て部１４１ａに設け、凸部１１６を、該側面押当て部１４１ａが押し当てられる外扉１００ａの側部外面に設けもよい。  
また、凹部１１５を外扉１００ａ側に設け、凸部１１６をフロントカバー１０１側に設けてもよい。
【００４８】
次に、図４を用いて、フロントカバー１０１をマグネット１１４の吸着力により外扉１００ａに取付ける他の取付け方法を説明する。図４はフロントカバー１０１をマグネット１１４にて取付ける他の取付け方法の斜視図である。
【００４９】
フロントカバー１０１の上部フック１２１の上面押当て部１２１ａと、下部フック１３１の下面押当て部１３１ａには、該押当て部１２１ａ，１３１ａが押し当てられる外扉１００ａの上下外面と対向してプレート状又はシート状のマグネット１１４をそれぞれ取付けている。  
なお、外扉１００ａの上下外面は、永久磁石で構成されたマグネット１１４により吸着可能な金属で形成している。
【００５０】
つまり、フロントカバー１０１の上部フック１２１と下部フック１３１とを、外扉１００ａの背面側上下縁部に係止した際、押当て部１２１ａ，１３１ａに取付けたマグネット１１４を外扉１００ａの上下外面に押付けて、そのマグネット１１４の吸着力により、フロントカバー１０１の押当て部１２１ａ，１３１ａを、外扉１００ａの上部外面と下部外面とに対して吸着固定する。
【００５１】
フック１２１，１３１の係止力に加えて、マグネット１１４の吸着力が相乗して得られるので、フロントカバー１０１の取付け位置が左右方向や前後方向に変位したり、フロントカバー１０１がガタ付いたりすることがなく、フロントカバー１０１が外扉１００ａの外面から脱落することを防止できる。  
この結果、フロントカバー１０１を、外扉１００ａの正面に取付けた状態を長期に亘り維持することができる。
【００５２】
なお、マグネット１１４を、左右の側部フック１４１の側面押当て部１４１ａに取付けてもよい。また、マグネット１１４の代わりに、例えば両面粘着テープ、面ファスナー等を用いてもよく、実施形態のマグネット１１４のみに限定されるものではない。
【００５３】
次に、図５を用いて、フロントカバー１０１を、上部フック１２１と側部フック１４１により外扉１００ａに取付ける他の取付け方法を説明する。図５はフロントカバー１０１の上部及び側部を係止する他の取付け方法の斜視図である。
【００５４】
つまり、フロントカバー１０１の上縁部に形成した上部フック１２１を外扉１００ａの背面側上縁部に係止し、左右縁部に形成した側部フック１４１を外扉１００ａの背面側左右縁部にそれぞれ係止して、フロントカバー１０１を外扉１００ａの正面が覆われる状態に取付ける。
【００５５】
すなわち、前記実施形態の上部フック１２１と下部フック１３１とを外扉１００ａの背面側上下縁部のみに係止するよりも、フロントカバー１０１を外扉１００ａに対して強固に固定することができる。
【００５６】
この結果、下部フック１３１を背面側下縁部に形成したフロントカバー１０１よりも構造及び構成を簡素化して、フロントカバー１０１の成形に要する工程数を少なくするので、成形が容易に行え、成形コストの低減を図ることができる。
【００５７】
次に、図６を用いて、フロントカバー１０１を、上部フック１２１と下部フック１３１により外扉１００ａに取付ける他の取付け方法を説明する。図６はフロントカバー１０１の上部及び下部を係止する他の取付け方法の斜視図である。
【００５８】
つまり、フロントカバー１０１の上部フック１２１と下部フック１３１を、外扉１００ａの背面側上下縁部に係止した際、フロントカバー１０１の左右縁部を外扉１００ａの左右外面にそれぞれ押し当てて、フロントカバー１０１を外扉１００ａの正面が覆われる状態に取付ける。
【００５９】
この結果、側部フック１４１を背面側左右縁部に形成したフロントカバー１０１よりも構造及び構成を簡素化して、該フロントカバー１０１の成形に要する工程数を少なくするので、成形が容易に行え、成形コストの低減を図ることができる。  
なお、フロントカバー１０１の左右縁部は、例えばネジやボルト、両面粘着テープ、マグネット、連結金具等の固定手段を用いて外扉１００ａの左右外面に固定してもよい。
【００６０】
次に、図７、図８を用いて、フロントカバー１０１を、上部係止具１５０と下部係止具１６０とにより外扉１００ａに取付ける他の取付け方法を説明する。  
図７はフロントカバー１０１を上部係止具１５０と下部係止具１５１にて外扉１００ａに取付ける他の取付け方法の斜視図、図８は図７のフロントカバー１０１を外扉１００ａに取付けた状態の縦断側面図である。
【００６１】
上部係止具１５０は、フロントカバー１０１の背面側上部の左右内壁面にそれぞれ取付けられ、フロントカバー１０１の背面側上部内壁面に沿って垂直に固定された上部固定部１５０ａと、該上部固定部１５０ａの上端を後方へ略直角に屈曲して形成した上面押当て部１５０ｂと、上面押当て部１５０ｂの後端を下方へ略直角に屈曲して形成した上面係止部１５０ｃとで構成している。
【００６２】
下部係止具１６０は、フロントカバー１０１の背面側下部の左右内壁面にそれぞれ取付けられ、フロントカバー１０１の背面側下部内壁面に沿って垂直に固定された下部固定部１６０ａと、該下部固定部１６０ａの下端を後方へ略直角に屈曲して形成した下面押当て部１６０ｂと、下面押当て部１６０ｂの後端を上方へ略直角に屈曲して形成した下面係止部１６０ｃとで構成している。
【００６３】
また、下部係止具１６０は、フロントカバー１０１の背面側下部内壁面に対して上下動可能に取付けられており、下面係止部１６０ｃが外扉１００ａの下部外面に係止される図８中の実線で示す係止位置と、下面係止部１６０ｃが外扉１００ａの下部外面から離脱される図８中の仮想線で示す解除位置とに上下動可能に設けている。
【００６４】
さらに、下部固定部１６０ａには、下部係止具１６０を外扉１００ａの下部外面に対して係止される位置に規制するためのラチェット機構１７０を設けている。  
ラチェット機構１７０は、外扉１００ａの正面と対向して下部固定部１６０ａの背面に形成した複数の段部１７０ａと、下部固定部１６０ａの一側縁部に軸支され上記段部１７０ａに対して係止される爪部１７０ｂと、該爪部１７０ｂの軸心に直結されフロントカバー１０１の左右下部外面に対して回動可能に取付けた操作部１７０ｃとで構成している。
【００６５】
段部１７０ａは、下部固定部１６０ａの背面に沿って上下方向に複数配列している。また、爪部１７０ｂは、トーションバネなどの弾性体により段部１７０ａに対して係止される図８中の実線で示す係止姿勢に回動付勢している。また、操作部１７０ｃは、爪部１７０ｂを段部１７０ａから離脱させ図８中の仮想線で示す解除姿勢に回動操作するものである。
【００６６】
つまり、フロントカバー１０１の背面側左右上部に取付けた上部係止具１５０の上面押当て部１５０ｂを外扉１００ａの上部外面に押し当て、上面係止部１５０ｃを外扉１００ａの背面側上縁部に係止した後、上部係止具１５０を支点として、フロントカバー１０１の下端側を外扉１００ａの正面と対向する方向に揺動させ、背面側左右下部の下部係止具１６０を外扉１００ａの下部外面と対向する。
【００６７】
この後、下部係止具１６０を、外扉１００ａの下部外面に対して押し当てられる方向に上昇移動させ、下面押当て部１６０ｂを外扉１００ａの下部外面に押し当てるとともに、下面係止部１６０ｃを外扉１００ａの背面側下縁部に係止する。
【００６８】
このとき、ラチェット機構１７０の爪部１７０ｂが図８中の実線で示す係止姿勢に回動して段部１７０ａに係止され、下部係止具１６０の下面係止部１６０ｃが外扉１００ａの背面側下縁部に対して係止された位置に固定される。
【００６９】
これにより、上部係止具１５０と下部係止具１６０とが外扉１００ａの上部外面と下部外面とを挟み込むように係止されるので、フロントカバー１０１を外扉１００ａの正面が覆われる状態に取付けることができる。  
この結果、前記実施形態の上部フック１２１と下部フック１３１とを外扉１００ａの背面側上下縁部に係止よりも、フロントカバー１０１を外扉１００ａに対して強固に固定することができる。
【００７０】
次に、フロントカバー１０１を外扉１００ａから取り外す場合、操作部１７０ｃを解除方向に回動操作して、ラチェット機構１７０の爪部１７０ｂを、図８中の仮想線で示す解除姿勢に回動し、該爪部１７０ｂを段部１７０ａから離脱させて係止解除する。
【００７１】
この後、下部係止具１６０を、図８中の仮想線で示す解除位置に下降させ、下面係止部１６０ｃを外扉１００ａの下部外面から離脱する。また、フロントカバー１０１を上方へ持ち上げて、上部係止具１５０の上面係止部１５０ｃを外扉１００ａの上部外面から離脱すれば、フロントカバー１０１を外扉１００ａから取り外すことができる。
【００７２】
なお、下部係止具１６０を、例えばコイルスプリング、板バネ、合成ゴム等の弾性体により外扉１００ａの下部外面に対して押し当てられる方向に付勢してもよい。  
また、上部係止具１５０を、下部係止具１６０と同様に、フロントカバー１０１の背面側上部内壁面に対して上下動可能に取付けてもよい。さらに、その上部係止具１５０にラチェット機構１７０を設けてもよい。  
さらにまた、下部係止具１６０を設けなくても、側部フック１４１と上部係止具１５０とを設ければ、フロントカバー１０１を外扉１００ａの正面に取付けることが可能である。
【００７３】
次に、図９を用いて、フロントカバー１０１を自動販売機１００の外扉１００ａに取付ける他の取付け方法を説明する。図９は幅狭型のフロントカバー１０１を取付ける他の取付け方法の斜視図である。
【００７４】
フロントカバー１０１は、外扉１００ａの全開時において、販売機本体１００ｂの左側正面に対する当接が回避されるように外扉１００ａの横幅より幅狭に形成している。  
また、フロントカバー１０１の左側縁部が外扉１００ａのヒンジ１０７よりも該外扉１００ａの中央寄りとなる大きさに形成している。なお、フロントカバー１０１の右側面は、外扉１００ａと右側面とほぼ同一面上で固定されている。
【００７５】
つまり、フロントカバー１０１の上部フック１２１と下部フック１３１を、外扉１００ａの背面側上下縁部に係止し、フロントカバー１０１の右縁部のみに形成した側部フック１４１を外扉１００ａの背面側右縁部に係止するので、フロントカバー１０１の左縁部に側部フック１４１がなくても、フロントカバー１０１を外扉１００ａの正面が覆われる状態に取付けることができる。
【００７６】
これにより、フロントカバー１０１を外扉１００ａのヒンジ１０７より中央寄り正面が覆われる状態に取付けることができる。また、外扉１００ａの開閉が制限されることがなく、商品の補充やメンテナンスを行うことができる。  
さらに、自動販売機１００に隣接するほかの自動販売機１００あるいは自動販売機１００の周囲を覆うように設置された化粧パネルなどにも干渉しないようにすることができる。
【００７７】
この発明の構成と、前記実施形態との対応において、  
この発明のフロントカバーの背面側縁部は、実施形態のフロントカバー１０１の背面側上下縁部及び背面側左右縁部に対応し、  
以下同様に、  
外扉の背面側縁部は、外扉１００ａの背面側上下縁部と背面側左右縁部に対応し、  
係止部は、上部フック１２１と、下部フック１３１と、側部フック１４１に対応し、  
上部係止部は、上部係止具１５０に対応し、  
下部係止部は、下部係止具１６０に対応し、  
カバー装着手段は、マグネット１１４に対応するも、  
この発明は、上述の実施形態の構成のみに限定されるものではなく、請求項に示される技術思想に基づいて応用することができ、多くの実施の形態を得ることができる。
【００７８】
例えばフロントカバー１０１を、外扉１００ａの上部正面あるいは下部正面のいずれか一方が部分的に覆われる大きさ及び形状に形成してもよい。  
また、フロントカバー１０１の背面側上下縁部に沿って形成した上部フック１２１及び下部フック１３１と、背面側左右縁部に沿って形成した側部フック１４１とを、各縁部の長手方向に対して部分的に配置するか、複数に分割して配置してもよい。
【符号の説明】
【００７９】
１００…自動販売機
１００ａ…外扉
１００ｂ…販売機本体
１０１…フロントカバー
１１４…マグネット
１１５…凹部
１１６…凸部
１２１…上部フック
１３１…下部フック
１４１…側部フック
１５０…上部係止具
１６０…下部係止具
１７０…ラチェット機構
【図１】
2012252668.tif 000003
【図２】
2012252668.tif 000004
【図３】
2012252668.tif 000005
【図４】
2012252668.tif 000006
【図５】
2012252668.tif 000007
【図６】
2012252668.tif 000008
【図７】
2012252668.tif 000009
【図８】
2012252668.tif 000010
【図９】
2012252668.tif 000011